(57)【要約】  【課題】玄関や通用口に用いる移動建材に関し、断熱性能を発揮し、かつ薄くて軽い開閉操作の容易な移動建材の開発が課題であった。  【解決手段】  建物の屋内外を連通する開口部１００に設けた少なくとも１枚以上の構成パネル１２７からなる移動建材１０１であって、移動建材１０１を構成する構成パネル１２７は室内側面および室外側面を成す面材１０２と、面材１０２端部に設けられた枠材１３２と、面材１０２間に配設された真空断熱材とから構成されている。この結果、玄関ドアに限らず開口部１００と略並行に開閉自在とする内戸においても構成パネル１２７の厚みを薄く構成することができるため、軽く開閉操作の容易な移動建材１０１を実現した上で、高い断熱性能を発揮することができ、住宅など建築物の開口部１００から室内へ侵入する熱を大幅に削減できるため、冷房や暖房の省エネルギー化を図ることができる。【選択図】図１
2007132069.tif 000002
【特許請求の範囲】
【請求項１】
建物の屋内外を連通する開口部に設けられた少なくとも１枚以上からなる移動建材であって、前記移動建材は、室内側面および室外側面を成す面材と、前記面材端部に設けられた枠材と、前記面材間に配設された真空断熱材とから構成されていることを特徴とする移動建材。
【請求項２】
前記移動建材は、開口部に設けたガラス戸の室内側において、前記ガラス戸と略並行に形成されるとともに、前記ガラス戸と略並行に移動可能であることを特徴とする請求項１に記載の移動建材。
【請求項３】
前記ガラス戸は、ペアガラスからなることを特徴とする請求項２に記載の移動建材。
【請求項４】
前記真空断熱材の下部および前記移動建材の移動方向端部に、弾性を有する緩衝部材を設けたことを特徴とする請求項１から請求項３のいずれか一項に記載の移動建材。
【請求項５】
前記真空断熱材は、芯材をガスバリア性のラミネートフィルムで覆い、前記ラミネートフィルムの内部を減圧密封してなり、前記ラミネートフィルムは金属箔を用いてガスバリア性を確保していることを特徴とする請求項１から請求項４のいずれか一項に記載の移動建材。
【請求項６】
前記移動建材に、少なくとも１箇所以上の採光窓を設けたことを特徴とする請求項１から請求項５のいずれか一項に記載の移動建材。
【請求項７】
前記採光窓は、前記移動建材の高さ方向の半分以下の位置に設けてあることを特徴とする請求項６に記載の移動建材。
【請求項８】
前記真空断熱材は、複数枚用いることを特徴とする請求項１から請求項７のいずれか一項に記載の移動建材。
【請求項９】
前記真空断熱材は、複数の芯材から構成され各芯材が独立に真空引きされていることを特徴とする請求項１から請求項７のいずれか一項に記載の移動建材。
【発明の詳細な説明】
【技術分野】
【０００１】
本発明は、建物の屋内外を連通する開口部において断熱機能を発揮する移動建材に関するものである。
【背景技術】
【０００２】
近年、省エネルギー化の気運の高まりから、住宅など建築物の断熱性能を向上すべく、特に壁面の断熱性能の向上が進められており、次世代省エネ基準を満たす程の高い断熱性能を有する高断熱建材の開発が進められている。
【０００３】
しかし、壁面の断熱性能に比べて従来は、建物の屋内外を連通する開口部の断熱性能は大幅に低く、昨今は窓に関しては高断熱ペアガラス、玄関ドアにはフェノール樹脂発泡体を用いた断熱ドアなどが提案され、断熱機能を有した移動建具を提供しているものがある（例えば、特許文献１参照）。
【０００４】
一方、ホームシアターが人気を集め、リビングの高い遮光性と防音性を実現することを目的に、従来の和室の内障子とは全く機能の異なるタイプの内戸が提案されるなど、従来にない移動建材が商品化される可能性がある（例えば、特許文献２参照）。
【０００５】
図８は、特許文献１に記載された従来の玄関ドアなどの移動建材を示すものである。
【０００６】
図８に示すように、移動建材１１は、表裏面を構成する面材１２内の空間において、水酸化アルミニウムを含侵させたシート１３を折り返し蛇行させると共に、各々の湾曲した折り返し部分に形成される充填空間１４にフェノール樹脂発泡体１５を充填発泡することにより構成される。
【０００７】
以上のように構成された移動建材について、以下その作用を説明する。
【０００８】
防火性を有するシート１３とフェノール樹脂発泡体１５で移動建材１１が構成されることにより、防火性を有すると共にフェノール樹脂発泡体１５の断熱性能により、断熱性能と防火性を有する移動建材１１を提供することが出来る。
【０００９】
図９は、特許文献２に記載された従来の内戸に代表される移動建材を示すものである。
【００１０】
図９に示すように、移動建材２１は、開口部２０のサッシ２６と略並行に単数もしくは複数の構成パネル２７で構成され、各構成パネル２７は部屋の床２８から天井２９までの高さと略同等の高さを備えている。また、各構成パネル２７はサッシ２６と略並行に移動可能であるように構成されている。
【００１１】
以上のように構成された内戸について、以下その作用を説明する。
【００１２】
構成パネル２７を収納し開口部２０を開けた状態ではサッシ２６から採光や通風を確保できると共に、構成パネル２７を引き出し開口部２０を全閉した状態では遮光性と遮音性を確保することができ、ホームシアターなどのスクリーンやテレビ画面への光の差込を遮断することができ、かつ、ホームシアターを大音量で鑑賞するときでも屋外へ音が漏れ出ることを遮断することができる。
【特許文献１】特開平１１−１７３０２２号公報
【特許文献２】特開２００４−２７０２７８号公報
【発明の開示】
【発明が解決しようとする課題】
【００１３】
しかしながら、特許文献１の構成では、ドアの厚みがある程度確保できる玄関ドアとしては、フェノール樹脂発泡体の３０〜４０ｍｍ程度の断熱厚みを構成することができるため、所定の断熱性能を確保することができるが、開口部と略並行に移動可能な引戸タイプの移動建材に対しては、フェノール樹脂発泡体の断熱厚みが厚いことから移動建材の厚みが厚くかつ重い移動建材となり、開閉性が悪くかつ収納性の悪い移動建材となる。
【００１４】
一方、特許文献２の構成では、構成パネルを開閉することにより遮光性と遮音性を付与することはできるが、構成パネルの収納性の観点から、構成パネルの厚みは薄いほうが良く高い断熱性能を付与することはできないと考えられる。
【００１５】
本発明は、上記従来の課題を解決するもので、断熱材として真空断熱材を用いることにより、扉や引戸に限らず建物の開口部に用いる移動建材に高い断熱性能を付与した上で移動建具の厚みを薄く構成することにより、極めて高い断熱効果を発揮すると共に使い勝手の良い移動建材を提供するものである。
【課題を解決するための手段】
【００１６】
上記目的を達成するために、本発明の移動建材は、建物の屋内外を連通する開口部に設けられた少なくとも１枚以上からなる移動建材であって、前記移動建材を、室内側面および室外側面を成す面材と、面材端部に設けられた枠材と、面材間に配設された真空断熱材とから構成したものである。
【００１７】
これによって、フェノール樹脂発泡体などの充填断熱材の場合には断熱性能を得るための断熱厚みを３０〜４０ｍｍ程度確保していたことに対し、真空断熱材では、充填断熱材の５〜１０倍の高い断熱性能を有することから、１０ｍｍ以下の断熱厚みであっても十分断熱性能を得ることができる。
【００１８】
また、採光を取るために移動建材の構成パネルに部分的に採光窓を有する場合においても、真空断熱材の高い断熱性能により、構成パネル全体の断熱性能を確保することができるため、採光を確保しつつ断熱効果を得ることができる。
【発明の効果】
【００１９】
本発明の移動建材は、玄関ドアに限らず開口部と略並行に開閉自在とする内戸においても構成パネルの厚みを薄く構成することができるため、軽く開閉操作の容易な移動建材を実現した上で、高い断熱性能を発揮することができる。その結果、住宅など建築物の開口部から室内へ侵入する熱を大幅に削減できるため、冷房や暖房の省エネルギー化を図ることができるという効果がある。
【００２０】
また、開口部の断熱性能を高めることにより、夏場には開口部付近の輻射熱の侵入を抑制し、冬場には冷輻射やコールドドラフトを抑制することにより、室内の快適空間をより開口部側まで広げることができるという効果がある。
【００２１】
また、構成パネルに部分的に採光部を設けることにより、昼間に構成パネルを引き出し開口部を全閉にして冷房や暖房の省エネルギー化を図る場合においても、太陽光を室内に取り入れることができ、室内の居住快適性を確保することができる。
【発明を実施するための最良の形態】
【００２２】
請求項１に記載の移動建材の発明は、建物の屋内外を連通する開口部に設けられた少なくとも１枚以上からなる移動建材であって、前記移動建材は、室内側面および室外側面を成す面材と、面材端部に設けられた枠材と、面材間に配設された真空断熱材とにより構成されているものであり、壁面断熱に用いられるグラスウールの１０倍から２０倍、充填断熱材の５倍から１０倍という高い断熱性能に応じて、従来の壁面部に比べ断熱性能の低かった開口部の断熱性能を大幅に向上することができる。
【００２３】
また、充填性断熱材を用いた従来の移動建材に対して容易に複層することにより、従来の断熱性能に比べて格段に断熱性能を高めることができる。
【００２４】
請求項２に記載の移動建材の発明は、請求項１に記載の発明における前記移動建材が、開口部に設けたガラス戸の室内側において、前記ガラス戸と略並行に形成されるとともに、前記ガラス戸と略並行に移動可能であるものであり、真空断熱材の高い断熱性能に応じて断熱厚さを１０ｍｍ以下程度まで薄くすることにより、移動建材を薄く軽く構成することができ、開閉操作が容易であり、かつ高い断熱性能を有する移動建材を実現することができる。
【００２５】
また、移動建材の厚さが薄いことにより、開口部を開けたときに移動建材を収納する室内空間に形成される収納部分の厚さを薄くでき、居住空間を広く活用できる。
【００２６】
請求項３に記載の移動建材の発明は、請求項２に記載の発明における前記ガラス戸が、ペアガラスからなることを特徴とするものであり、移動建材が開状態のときにはペアガラスで断熱し、閉状態の時にはペアガラスと真空断熱材を用いた移動建材を合わせた断熱効果を得ることにより、従来からのガラス戸と障子の組合せという使い勝手を維持したまま、一日の生活シーンに応じて適切かつ高い断熱仕様の組合せを提供することができる。
【００２７】
請求項４に記載の移動建材の発明は、請求項１から請求項３のいずれか一項に記載の発明において、前記真空断熱材の下部および前記移動建材の移動方向端部に、弾性を有する緩衝部材を設けたものであり、真空断熱材の荷重方向および移動方向を緩衝部材により保護することにより、真空断熱材の破袋を防止し長期間に渡る断熱性能の信頼性を確保することができる。
【００２８】
請求項５に記載の移動建材の発明は、請求項１から請求項４のいずれか一項に記載の発明における前記真空断熱材が、芯材をガスバリア性のラミネートフィルムで覆い、前記ラミネートフィルムの内部を減圧密封してなり、前記ラミネートフィルムは金属箔を用いてガスバリア性を確保しているものであり、日射による輻射および伝熱効果で移動建材表面の温度が上昇した場合でもラミネートフィルムのガスバリア性を維持できることにより、真空断熱材内部へのガス侵入を抑制し長期間に渡る断熱性能の信頼性を確保することができる。
【００２９】
請求項６に記載の移動建材の発明は、請求項１から請求項５のいずれか一項に記載の発明における前記移動建材に、少なくとも１箇所以上の採光窓を設けたものであり、真空断熱材の高い断熱性能により移動建具全体の断熱性能の低下幅を抑えつつ、移動建材を閉じた状態でも採光できることにより、昼間の室内の採光による快適性を維持した上で居住空間の冷房や暖房の省エネルギー化を図ることができる。
【００３０】
請求項７に記載の移動建材の発明は、請求項６に記載の発明における前記採光窓を、前記移動建材の高さ方向の半分以下の位置に設けたものであり、採光窓が床に近いため採光窓で生じる冷気対流の成長を抑えることにより、室内側の快適空間を開口部近傍まで広げることができる。
【００３１】
請求項８に記載の移動建材の発明は、請求項１から請求項７のいずれか一項に記載の発明における前記真空断熱材を、複数枚用いたものであり、採光窓を設けた場合においても、複数に分割された真空断熱材を効率よく配設して、面材に対する真空断熱材の被複面積を大きくすることにより、真空断熱材の高い断熱性能を効率よく活用し、移動建材の断熱性能を確保することができる。
【００３２】
請求項９に記載の移動建材の発明は、請求項１から請求項７のいずれか一項に記載の発明における前記真空断熱材が、複数の芯材から構成され各芯材が独立に真空引きされているものであり、採光窓の形状に応じてパターン割された芯材部分を打ち抜き、１枚の真空断熱材を配設する場合においても、面材に対する真空断熱材の被複面積を大きくすることにより、真空断熱材の高い断熱性能を効率よく活用し、移動建材の断熱性能を確保することができる。
【００３３】
更に、採光窓のデザインに応じて任意に芯材配置を変えることにより、１枚の真空断熱材で効率よく被複面積を高めて断熱性能を確保することができる。
【００３４】
以下、本発明の実施の形態について、図面を参照しながら説明する。なお、この実施の形態によってこの発明が限定されるものではない。
【００３５】
（実施の形態１）
図１は、本発明の実施の形態１における移動建材を示す内戸の設置状況を示す図である。図２は、同実施の形態における内戸の平面略図である。図３は、同実施の形態における内戸を構成するパネルの側面断面図である。図４は、同実施の形態における内戸に配設する真空断熱材の断面図である。
【００３６】
まず、移動建材を示す内戸１０１の構成について述べる。内戸１０１は、吐き出し窓である開口部１００に設けたガラス戸１３０の内側において、ガラス戸１３０と略並行に設置されており、複数の構成パネル１２７を連設して構成された片引き戸としている。
【００３７】
ここで、ガラス戸１３０は、二重ガラスの間に空気などのガスを封入することにより断熱性能を高めたペアガラスを用いている。
【００３８】
また、各構成パネル１２７は、枠材１３２の上部に突設された摺動ブロック１２０が上部レール１２２に嵌入され、かつ枠材１３２の下部に突設された摺動ガイド１２１が下部レール１２３に嵌入されることにより、摺動可能とされている。
【００３９】
ここで、ガラス戸１３０と略並行に摺動可能とされた構成パネル１２７は、建物壁１２４と収納壁１２５との間に収納可能としており、内戸１０１を使用する時には構成パネル１２７を収納壁１２６内部から引き出し、複数の構成パネル１２７を連設することにより開口部１００を閉じる。一方、内戸１０１を使用しない時は、構成パネル１２７を収納壁１２６内部に納め開口部１００を開放することができる。
【００４０】
次に構成パネル１２７の構成について述べる。構成パネル１２７は、室内側面と室外側面をなす面材１０２と、面材１０２の周囲端部に設けた枠材１３２と、面材１０２および枠材１３２と、区画材１３７とを組むことにより構成される空間内に配設された複数の真空断熱材１３３と、ガラスなどを嵌設された採光部１３１により構成されている。真空断熱材１３３の厚みは５ｍｍ程度とし、真空断熱材１３３の下部および移動方向には弾性を有する緩衝部材１３６を設けている。
【００４１】
次に真空断熱材１３３の構成について述べる。真空断熱材１３３は、粉体や発泡体或いは繊維から成る芯材１３４と、ガスバリア性のあるラミネートフィルム１３５から構成されており、ラミネートフィルム１３５は、最外層の保護層と、その内側のアルミ箔によるガスバリア層と、最内層の熱溶着層から構成されている。
【００４２】
ここで、真空断熱材１３３は、矩形型に予め裁断された２枚のラミネートフィルム１３５の周囲３辺を熱溶着し、袋状に成形されたをラミネートフィルム１３５の間に芯材１３４を挿入し、ラミネートフィルム１３５の間の空間を真空排気すると共に袋状のラミネートフィルム１３５の残る１辺を熱溶着することにより製造する。
【００４３】
その結果、真空断熱材１３３の熱伝導率は０．００２〜０．００４Ｗ／ｍＫ程度の断熱性能を発揮し一般的な断熱材であるウレタンフォームの５〜１０倍という高い断熱性能を得ることが出来る。
【００４４】
以上のように構成された移動建材について、以下にその作用と効果を説明する。
【００４５】
まず、一般的な壁と開口部の断熱性能について述べる。
【００４６】
一般に壁の断熱に用いられるグラスウールを５０ｍｍ以上使用した場合やウレタンフォームを３０ｍｍ以上使用した場合の熱貫流率（以下、Ｋ値とする）はおよそ１．０Ｗ／ｍ2Ｋ程度以下の断熱性能を示す。これに対して、従来の開口部１００は一般にガラス戸１３０のみで断熱されている。このため、断熱性能が高いといわれるペアガラスであってもＫ値はおよそ２〜３Ｗ／ｍ2Ｋ程度であり、壁面と比較すると極めて低い断熱性能であった。そのため、高断熱住宅を設計する場合に壁面の断熱性能を高めても開口部１００からの侵入熱を低減することができず、高断熱化には限界があった。
【００４７】
これに対して、開口部１００に設けた内戸１０１の真空断熱材１３３の厚みを約５ｍｍとすることにより、真空断熱材１３３を複層した部分のＫ値は、およそ０．４から０．８Ｗ／ｍ2Ｋとなり、一般的な壁の断熱効果に匹敵する高い断熱性能を得ることができる。
【００４８】
つまり、開口部１００を構成パネル１２７で全閉にすることにより、開口部の断熱性能を飛躍的に高めることができ、冷房や暖房に要するエネルギーを大幅に削減することができる。
【００４９】
また、真空断熱材１３３は５ｍｍ程度の薄さであり重量も軽く構成できることから、構成パネル１２７の開閉操作は従来の操作感を損ねることは一切無い。
【００５０】
また、真空断熱材１３３が薄く構成できるため構成パネル１２７の厚みも薄くすることが可能となるため、本実施例の３枚構成の内戸１０１であってもその収納部を構成する建物壁１２４と収納壁１２５で構成される空間の厚さＢをおよそ１００から２００ｍｍ程度の薄さに抑えることができるため、室内空間に出っ張る無効容積を最小に抑えることができる。
【００５１】
次に、採光部１３１を設けた場合の断熱性能について述べる。本実施例では、採光部１３１を上下２箇所に設け、構成パネル１２７の全体に対して約４０％の面積を採光部１３１としている。このため、構成パネル１２７を全閉にした状態でも室内に十分な採光を取ることが可能であり、昼間に内戸１０１を締め切った状態でも明るい室内を維持することができる。
【００５２】
ここで、前述した断熱性能は、一般的な壁断熱と真空断熱材１３３を適用した内戸１０１との比較について述べたが、内戸１０１はガラス戸１３０をなすペアガラスとの組合せで断熱効果を発揮するため、ガラス戸１３０と内戸１０１との組合せを考慮すると、ガラスからなる採光部１３１のＫ値は壁面の数倍程度と予想される。
【００５３】
これに対して、真空断熱材１３３を適用した部分でのＫ値はガラス戸１３０との組み合わせを考慮すると０．１Ｗ／ｍ2Ｋ程度以下となる。このため、ペアガラスによるガラス戸１３０と組み合わせた内戸１０１全体の平均Ｋ値は１．０Ｗ／ｍ2Ｋ以下に抑えることができ、採光部１３１を設けた場合でも壁部と同程度の断熱性能を得ることができる。
【００５４】
以上のことから、太陽光を最大限取り入れつつ断熱効果を得たい場合には、内戸１０１を全開にしてペアガラスで断熱し、断熱効果を優先しつつ採光を行いたい場合には内戸１０１を全閉にしてペアガラスと真空断熱材１３３とにより断熱効果を最大化することにより、従来からのガラス戸と内障子の組合せという使い勝手を維持したまま一日の生活シーンに応じて適切かつ高い断熱仕様の組合せを得ることができる。
【００５５】
なお、本実施例では採光部１３１の面積を４０％としたが、熱輻射による室内への熱侵入も考慮すれば、採光部１３１の面積は３０％程度までに止めるのが理想的と考えられる。
【００５６】
また、真空断熱材１３３の下部および構成パネル１２７の移動方向端部に弾性を有する緩衝部材１３６を設けたことにより、真空断熱材１３３の荷重および構成パネル１２７の移動時の衝撃を緩和することにより、真空断熱材の破袋を防止し長期間に渡る断熱性能の信頼性を確保することができる。
【００５７】
また、内戸１０１を構成する構成パネル１２７を全閉にする場合には、ガラス戸１３０と内戸１０１との間の空間が略密閉されるため熱輻射や熱伝導により空間温度が上昇すると共に構成パネル１２７の室外側面材１０２の表面温度が上昇する。夏場の昼間では６０℃以上の高い温度になる場合もある。これに対し、真空断熱材１３３の表面を覆うラミネートフィルム１３５を金属箔で構成することにより、ラミネートフィルム１３５表面から侵入するガスを遮断することができ、真空断熱材１３３内部へのガス侵入を抑制し長期間に渡る断熱性能の信頼性を確保することができる。
【００５８】
また、区画材１３７で区画された空間を複数の真空断熱材１３３を用いて構成することにより、配設する真空断熱材１３３の１枚当たりの寸法を取りまわしの良い大きさとすることができ、構成パネル１２７製作時の真空断熱材１３３の破袋を防止することできる。また、採光部１３１を設けた場合においても複数に分割された真空断熱材１３３を配設することにより、面材１０２に対する真空断熱材１３３の被複面積を効率よく高めることができ、真空断熱材１３３の高い断熱性能を効率よく活用し、内戸１０１の断熱性能を確保することができる。
【００５９】
なお、本実施例では、構成パネル１２７の枚数は複数枚としたが、開口部１００の大きさや種類との兼ね合いで決めるため、小さな腰窓に単数で適用しても良い。
【００６０】
また、充填性断熱材を用いた断熱性を有する玄関や通用口の扉に対しても応用可能であり、予め真空断熱材を配設したあとに充填断熱材を充填することにより、容易に構成パネルを製作することができる。
【００６１】
（実施の形態２）
図５は、本発明の実施の形態２における移動建材を示す内戸の設置状況を示す図である。図６は、同実施の形態における内戸に配設する真空断熱材の正面図である。図７は、図６に示す真空断熱材のＡ−Ａ矢視断面図である。ここで、実施の形態１と同様の部分については説明を省略する。
【００６２】
まず、移動建材である内戸２０１を構成する各構成パネル２２７は、室内側面と室外側面をなす面材２０２と、面材２０２の周囲端部に設けた枠材２３２と、面材２０２および枠材２３２と、区画材２３７とを組むことにより構成される空間内に配設された複数の真空断熱材１３３および真空断熱材２３３と、ガラスなどを嵌設された複数の小さな採光部２３１により構成されている。
【００６３】
また、採光部２３１は構成パネル２２７の高さに対して５０％以下の位置に形成されており、構成パネル２２７全体面積の約２０％程度を採光部２３１としている。
【００６４】
次に真空断熱材２３３の構成について述べる。真空断熱材２３３は、粉体や発泡体或いは繊維から成る複数の独立した芯材２３４と、金属箔からなるラミネートフィルム２３５から構成されている。
【００６５】
ここで、真空断熱材２３３は、ラミネートフィルム２３５の間に複数の独立した芯材２３４を配置した状態で真空排気し、各々の芯材２３４周囲に位置するラミネートフィルム２３５部および芯材２３４部を含めた全面を熱溶着することにより製造される。更に、真空断熱材２３３は、採光部２３１を設けるため、ラミネートフィルムをカットすることにより切り抜き部２３８を設けてある。なお、芯材２３４のある部分の真空断熱材２３３の熱伝導率は０．００２〜０．００４Ｗ／ｍＫ程度の断熱性能を有し、実施例１の真空断熱材１３３と同様の断熱性能を有する。
【００６６】
以上のように構成された移動建材について、以下にその作用と効果を説明する。
【００６７】
構成パネル２２７に採光部２３１を設ける場合、採光部２３１近傍の室内側温度は室内平均温度よりも室外側温度に近い状態となる。このため、採光部２３１近傍において、冬場には冷気が下方に対流するコールドドラフトと呼ばれる現象が生じて室内温度の低下を招く。本現象に対して、本実施例では構成パネル２２７の高さに対して５０％以下の位置に採光部２３１を設けると共に、その面積を構成パネル２２７全体の約２０％程度に止めているため、冷気対流が生じる起点となる採光部２３１の面積を小さく抑えると共に、採光部２３１と床との距離が近いため生じた冷気対流の成長を抑えることにより室内側への冷気対流を抑え、室内側の快適空間をより窓側まで広く設けることができる。
【００６８】
また、構成パネル２２７の面材２０２に採光部２３１を設けていない部分においては真空断熱材１３３を用い、採光部２３１を設けた面材２０２の部分には切り抜き部２３８を設けた真空断熱材２３３を用いることにより、採光部２３１の形状に応じてパターン割された芯材２３４を用いて不要なラミネートフィルム２３５を打ち抜き１枚の真空断熱材２３３を配設することにより、真空断熱材の高い断熱性能を効率よく活用し構成パネル２２７の断熱性能を確保することができる。
【００６９】
更に、採光部２３１のデザインに応じて任意に芯材２３４の配置を変えることにより、１枚の真空断熱材２３３で効率よく構成パネル２２７の断熱性能を確保することができる。
【００７０】
なお、本実施例では引き戸タイプの内戸２０１に真空断熱材２３３を適用したが、真空断熱材２３３が複数の芯材２３４に分割される利点を活かし折り曲げ可能である特徴と数ミリメートル程度まで厚さを薄くすることにより、ロールブラインドのように巻き取るタイプの移動建材を構成することも可能であり、収納スペースを非居住空間に設けた収納スペースの邪魔にならない高断熱な移動建材を実現することもできる、
【産業上の利用可能性】
【００７１】
以上のように、本発明による移動建材は、開口部の断熱効果を得ると同時に、外側に設けたガラス戸との組合せ断熱効果により採光部を設けた場合でも高い断熱性能を得ることができるので、建物ばかりでなく、車、電車、新幹線等のような乗り物の開口部断熱方法としても利用可能である。
【図面の簡単な説明】
【００７２】
【図１】本発明の実施の形態１における内戸の設置状況図
【図２】本発明の実施の形態１における内戸の平面略図
【図３】本発明の実施の形態１における構成パネルの側面断面図
【図４】本発明の実施の形態１における真空断熱材の断面図
【図５】本発明の実施の形態２における内戸の設置状況図
【図６】本発明の実施の形態２における真空断熱材の正面図
【図７】本発明の実施の形態２におけるＡ−Ａ矢視断面図
【図８】従来例１における移動建材の構成図
【図９】従来例２における移動建材の設置状況図
【符号の説明】
【００７３】
１００          開口部
１０１，２０１  移動建材
１０２，２０２  面材
１３０          ガラス戸
１３１，２３１  採光部
１３２          枠材
１３３，２３３  真空断熱材
１３４，２３４  芯材
１３５，２３５  ラミネートフィルム
１３６          緩衝部材
【図１】
2007132069.tif 000003
【図２】
2007132069.tif 000004
【図３】
2007132069.tif 000005
【図４】
2007132069.tif 000006
【図５】
2007132069.tif 000007
【図６】
2007132069.tif 000008
【図７】
2007132069.tif 000009
【図８】
2007132069.tif 000010
【図９】
2007132069.tif 000011